(57)【特許請求の範囲】
【請求項１】
濁質分を含む排水を導入し、薬剤を添加して凝集反応を起こさせ、濁質分を含む凝集物のフロックを形成する反応槽と、
前記反応槽で形成されたフロックを含む反応液を導入して、重力沈降式により、汚泥と上澄水に固液分離する沈殿槽と、
前記沈殿槽で得られた上澄水を処理水として貯留する処理水槽とを有し、
予め同一幅の方形状の前記反応槽と沈殿槽と処理水槽を形成可能な合成樹脂製複合シートを用意し、
前記複合シートを組立て枠体に装着して前記反応槽と沈殿槽と処理水槽を形成してなることを特徴とするフレキシブル排水処理装置。
【請求項２】
前記複合シートは、合成樹脂繊維製の織布又は不織布を合成樹脂フィルムでサンドイッチした構成を有することを特徴とする請求項１記載のフレキシブル排水処理装置。
【請求項３】
前記反応槽と沈殿槽と処理水槽は、方形状の下引きシートの上面に、直線状に並設されており、
前記反応槽から沈殿槽を介して処理水槽への液の流れが、方形状の前記下引きシートの長手方向に沿って一方向に流れる構成であることを特徴とする請求項１又は２記載のフレキシブル排水処理装置。
【請求項４】
前記沈殿槽の側壁の上面を上澄水がオーバーフローして前記処理水槽に入る部位に仕切りシートを設け、
前記沈殿槽の側壁の上部から前記仕切りシートに向かって下向きに１５°〜５５°傾斜する案内板を設け、
前記沈殿槽の側壁と、前記仕切りシートとの間の下部に、フィルタを積層してなり、
前記仕切りシートの下方に、フィルタを介して処理水を前記処理水槽に送るための水平方向に延びるメッシュ部を有することを特徴とする請求項１〜３の何れかに記載のフレキシブル排水処理装置。
【請求項５】
前記沈殿槽の側壁から所定間隔の位置に、前記側壁と平行に垂れ幕シートを吊り下げ、
該垂れ幕シートの下部と沈殿槽の底部との間に、前記反応槽から導入された反応液を通過させる間隙を有することを特徴とする請求項１〜４の何れかに記載のフレキシブル排水処理装置。
【発明の詳細な説明】
【技術分野】
【０００１】
本発明は、フレキシブル排水処理装置に関し、詳しくは洗浄した際に発生する汚水を浄化処理して再生利用可能で、組み立て易さを実現したフレキシブル排水処理装置に関する。
【背景技術】
【０００２】
従来、汚染車両を洗浄した際に発生する汚水を浄化処理するには、凝集沈殿処理設備が用いられている。一般的な凝集沈殿処理設備は、鋼製又はコンクリート製の反応槽と沈殿槽が使用されている。
しかし、このような設備では、一旦設置してしまうと、移動ができない欠点がある。
震災時では、種々の場所で処理してもらいたい要請が強いが、移動できない設備では、種々の場所での処理を実現することはできない。
【０００３】
特許文献１は、大型の機械を使用することなく、全体が軽量で分解組立式であって、装置そのものが分解して設置及び輸送が可能であると共に、設置に対して大型重機を必要とせず、且つ大掛かりな基礎工事が不要となる集泥用濁水処理装置を提案している。
【先行技術文献】
【特許文献】
【０００４】
【特許文献１】特開２００８−６８２４７号公報
【発明の概要】
【発明が解決しようとする課題】
【０００５】
特許文献１は、全体が軽量で分解組立式であって、装置そのものが分解して設置及び輸送が可能であるとしているものの、回流分離槽と称する沈殿槽は下方が円錐状に尖った形状をしている。
この円錐状に尖らせるのは、汚泥の沈降速度を上げるためであると推定されるが、かかる形状にすると、高さが必然的に高くなってしまう。
【０００６】
反応槽内のフロック形成懸濁液に、背丈が高い水槽に送液するには、ポンプが必要になる。しかし、特許文献1では、ポンプを用いずに送液しようとしているので、ヘッド圧で
沈殿槽に送液するには、反応槽の液面が、沈殿槽より高く配置しなければならない。このため、反応槽を設置する際には、枠台、安定台を設置した後に、設置する必要があったので、コスト高となるばかりでなく、組み立てや解体の手間がかかる欠点があった。
【０００７】
そこで、本発明者は、洗浄した際に発生する汚水を浄化処理して再生利用可能で、組み立て易さを実現したフレキシブル排水処理装置を提供することを課題とする。
【０００８】
また本発明の他の課題は、以下の記載によって明らかとなる。
【課題を解決するための手段】
【０００９】
上記課題は、以下の各発明によって解決される。
【００１０】
（請求項１）
濁質分を含む排水を導入し、薬剤を添加して凝集反応を起こさせ、濁質分を含む凝集物のフロックを形成する反応槽と、
前記反応槽で形成されたフロックを含む反応液を導入して、重力沈降式により、汚泥と上澄水に固液分離する沈殿槽と、
前記沈殿槽で得られた上澄水を処理水として貯留する処理水槽とを有し、
予め同一幅の方形状の前記反応槽と沈殿槽と処理水槽を形成可能な合成樹脂製複合シートを用意し、
前記複合シートを組立て枠体に装着して前記反応槽と沈殿槽と処理水槽を形成してなることを特徴とするフレキシブル排水処理装置。
（請求項２）
前記複合シートは、合成樹脂繊維製の織布又は不織布を合成樹脂フィルムでサンドイッチした構成を有することを特徴とする請求項１記載のフレキシブル排水処理装置。
（請求項３）
前記反応槽と沈殿槽と処理水槽は、方形状の下引きシートの上面に、直線状に並設されており、
前記反応槽から沈殿槽を介して処理水槽への液の流れが、方形状の前記下引きシートの長手方向に沿って一方向に流れる構成であることを特徴とする請求項１又は２記載のフレキシブル排水処理装置。
（請求項４）
前記沈殿槽の側壁の上面を上澄水がオーバーフローして前記処理水槽に入る部位に仕切りシートを設け、
前記沈殿槽の側壁の上部から前記仕切りシートに向かった下向きに１５°〜５５°傾斜する案内板を設け、
前記沈殿槽の側壁と、前記仕切りシートとの間の下部に、フィルタを積層してなり、
前記仕切板の下方に、フィルタを介して処理水を前記処理水槽に送るための水平方向に延びるメッシュ部を有することを特徴とする請求項１〜３の何れかに記載のフレキシブル排水処理装置。
（請求項５）
前記沈殿槽の側壁から所定間隔の位置に、前記側壁と平行に垂れ幕シートを吊り下げ、
該垂れ幕シートの下部と沈殿槽の底部との間に、前記反応槽から導入された反応液を通過させる間隙を有することを特徴とする請求項１〜４の何れかに記載のフレキシブル排水処理装置。
【発明の効果】
【００１１】
本発明によれば、組み立て安さを実現したフレキシブル排水処理装置を提供することができる。
【図面の簡単な説明】
【００１２】
【図１】本発明の一実施形態に係るフレキシブル排水処理装置の一例を示す図
【図２】図１の処理装置に用いる組み上げられた枠体の斜視図
【図３】複合シートが枠体に装着された状態を示す斜視図
【図４】処理水槽のフィルタ部の一例を示す概略側面図
【図５】汚泥脱水槽の一例を示す概略側面図
【図６】組み立てられたフレキシブル排水処理装置の一例を示す図
【発明を実施するための形態】
【００１３】
本発明を実施するための形態を図面に基づいて説明する。
【００１４】
図１において、１は洗車エリアであり、該洗車エリア１で、汚染乗用車Ｃを高圧洗浄すると汚染水が発生する。震災による原子力発電所の水素爆発のような放射能発生時には、避難箇所が分散して存在する。その避難箇所では、汚染乗用車に限らず、汚染物が付着した機器や設備等が増大し、洗浄の必要性も増す。
【００１５】
図１において、２は反応槽、３は沈殿槽、４は処理水槽である。
【００１６】
本発明の好ましい態様としては、反応槽２、沈殿槽３、処理水槽４は、図３に示すように、直線状に並設されている。
【００１７】
また反応槽２から沈殿槽３を介して処理水槽４への液の流れが、動力を用いることなくヘッド圧で流れる構成である点も本発明の好ましい態様である。
【００１８】
また本発明において、反応槽２と沈殿槽３と処理水槽４は、全て、同一幅の方形状の槽であることが好ましい。同一幅であると、図３のような一直線の並設が簡単に実現できるので好ましい。
【００１９】
更に本発明において好ましい態様としては、図３に示すように、これらの反応槽２と沈殿槽３と処理水槽４は、方形状の下引きシート６の上面に、直線状に並設されていることである。下引きシート６にあらかじめ設置領域図あるいは線を描いておくことにより、直線状の並設が簡便になるので好ましい。また設置領域図あるいは線は、粘着テープによって着脱可能に形成することもできる。設置領域図あるいは線を変更したい場合にシートを変える必要がないのでコスト増を招くことがない。
【００２０】
直線状の構成にすると、反応槽２から沈殿槽３を介して処理水槽４への液の流れが、方形状のシートの長手方向に沿って一方向に流れる構成にすることができ、また、設置面積も減少できる。
【００２１】
本発明に用いる沈殿槽３は、下方に円錐形や角錐形のような傾斜面を設けることなく、底面が平らな方形状の水槽であることが好ましい。
【００２２】
反応槽２と沈殿槽３と処理水槽４を形成するには、図２に示すように、初めに、３つの槽を形成できる組立て枠体の骨組を作る。
【００２３】
図２において、１０、１１は上部の一対の上部外枠である。上部外枠１０は奥側の上部枠体である。上部外枠１１は、手前側の上部外枠である。
１２、１３は下部の一対の下部外枠である。下部外枠１２は奥側の下部外枠である。下部外枠１３は、手前側の下部外枠である。
図示のように、上部外枠１０、１１及び下部外枠１２、１３は、上流側から下流側に向かって直線状に配置されている。
上部外枠１０、１１の上流側の両端は、上部外枠１４によって連結されており、下部外枠１２、１３の上流側の両端は、下部外枠１５によって連結されている。
上部外枠１０、１１の下流側の両端は、上部外枠１６によって連結されており、下部外枠１２、１３の下流側の両端は、下部外枠１７によって連結されている。
【００２４】
奥側の上部外枠１０と下部外枠１２は、上下方向に延びる複数の支持杆によって接続されている（図２参照）。また上部外枠１１と下部外枠１３は、上下方向に延びる複数の支持杆によって接続されている（図２参照）。また上部外枠１４と下部外枠１５は、上下方向に延びる複数の支持杆によって接続されている（図２参照）。また上部外枠１６と下部外枠１７は、上下方向に延びる複数の支持杆によって接続されている（図２参照）。
【００２５】
１８，１９は、反応槽２と沈殿槽３を画定する枠体であり、枠体１８は上部枠体であり、１９は下部枠体である。
２０，２１は、沈殿槽３と処理水槽４を画定する枠体であり、枠体２０は上部枠体であり、２１は下部枠体である。
【００２６】
反応槽２から沈殿槽３への反応液の送液口となる切欠き部２３（図３参照）を形成するために、上部枠体１８に平行で、上部枠体１８よりも上方に短い枠体１８ａが設けられている。
【００２７】
本実施形態において組立て枠体は、上下に高さ調整可能に構成されていることが好ましい。
【００２８】
図２に示す枠体構造に対して、合成樹脂製複合シート５を装着すると、図３に示す３つの方形状の反応槽２，沈殿槽３，処理水槽４を構成することができる。
【００２９】
合成樹脂製複合シートは、合成樹脂繊維製の織布又は不織布を合成樹脂フィルムでサンドイッチした複合シートを用いることができる。合成樹脂としては、例えば塩化ビニル樹脂などが挙げられる。
【００３０】
合成樹脂製複合シート５を枠体に装着するには、複合シート５を所定形状に裁断しておくことが好ましい。また、裁断された複合シート５を所定形状となるように適宜溶着しておくことが好ましい。
【００３１】
複合シート５は、長手方向を被覆するシートと、手前側の側面を被覆するシートと、奥側の側面を被覆するシートの３つのパーツを予め裁断して用意しておくことが好ましい。
【００３２】
長手方向を被覆するシートは、３つの方形状の反応槽２，沈殿槽３，処理水槽４の長手方向（上流側から下流側に向かう方向）の底部と立壁を形成するシートである。
【００３３】
長手方向の底部は、反応槽２の底部２００、沈殿槽３の底部３００、処理水槽４の底部４００からなる。
【００３４】
長手方向の立壁は、反応槽２の手前側の立壁２０１、反応槽２と沈殿槽３の仕切り壁（沈殿槽の手前側の壁）である立壁２０２、沈殿槽３と処理水槽４の間の仕切り壁（沈殿槽の奥側の壁）である立壁３０１、処理水槽の奥側の壁である立壁４０１からなる。
【００３５】
手前側の側面を被覆するシートは、反応槽２，沈殿槽３，処理水槽４の各々側壁を構成する合成樹脂製複合シート５である。また奥側の側面を被覆するシートは、反応槽２，沈殿槽３，処理水槽４の各々側壁を構成する合成樹脂製複合シート５である。
【００３６】
以上のようにして、長手方向を被覆するシートと、手前側の側面を被覆するシートと、奥側の側面を被覆するシートとを用いることにより、反応槽２，沈殿槽３及び処理水槽４を合成樹脂製複合シート５により形成できる。
【００３７】
汚染水は、濁質分を含む排水である。かかる排水は、排水タンク１０１に貯留し、ポンプ１０２により、排水流入管１０３を介して反応槽２に送られる。反応槽２に導入される排水中の濁質分には、放射性物質を含んでもよい。
【００３８】
反応槽２には、撹拌機２０５が設置されている。そして薬剤タンク２０３から薬剤ポンプ２０４を介して反応槽２に薬剤を供給可能に構成される。
反応槽２において、撹拌機２０５で撹拌する区画と、薬剤を供給可能に構成される区画は、底部が開放された合成樹脂製複合シート５と同一のシートで形成された区画シート２０６で仕切られていることが好ましい。
【００３９】
また、粉体凝集剤を使用する場合には、薬剤タンク２０３に供給し、溶融させた後、薬剤ポンプを介して反応槽２に供給してもよいし、粉体の薬剤を、粉体フィーダーを用いて、直接反応槽２の入口に供給することもできる。
【００４０】
撹拌機２０５の撹拌羽根の回転数は５０〜２００ｒｐｍの範囲で変動させることができることが好ましい。
【００４１】
反応槽２内の排水に薬剤を添加して、撹拌機２０５を始動して所定回転数で回転すると、凝集反応が起こり、濁質分を含む凝集物のフロックが形成する。
撹拌機２０５の運転においては、凝集反応の初期には回転数を多くし、凝集物から大きなフロックを形成するために、回転数を少なくすることも好ましい。
【００４２】
薬剤としては、凝集剤、凝集助剤、フロック形成補助剤などが挙げられる。これらの薬剤は、単独でもよいし、組み合わせて使用してもよい。
【００４３】
凝集剤としては、塩化第二鉄、ポリシリカ鉄、ポリ硫酸第二鉄などの鉄系凝集剤；ＰＡＣ（ポリ塩化アルミニウム）、硫酸アルミニウム（硫酸バンド）、ポリ硫酸アルミニウムなどのアルミ系凝集剤；カチオン系、アニオン系又はノニオン系の高分子凝集剤を用いることができる。
【００４４】
凝集助剤としては、鉱酸（硫酸、塩酸など）やアルカリ（苛性ソーダや消石灰など）から選ばれるｐＨ調整剤などが挙げられる。
【００４５】
フロック形成補助剤としては、活性珪酸（ＳｉＯ２）、アルギン酸ソーダなどが挙げられる。
【００４６】
本発明は、簡易な処理を助長する上で、複数種の上記薬剤を混合して固形化したペレットを用いることができ、必要により除湿剤を入れた個装商品としてもよい。ＰＴＰ包装シートに充填してもよい。
排水の汚染度に応じて、上記ペレットの個数を決定しておくことも好ましいことである。
【００４７】
本発明において、反応槽２におけるフロック形成を安定化させるために、反応槽２に供給される排水の量を調整できるように構成することも好ましい。例えば、排水流入管１０３に図示しない流量調整弁を組み込むことも好ましい態様である。流量調整弁で流量調整されれば、凝集剤の添加量の調整も容易となり、凝集反応の安定化に寄与する。
【００４８】
反応槽２で形成されたフロックを含む反応液は沈殿槽３に送られる。反応槽２から沈殿槽３に送液するには、ポンプを用いずにオーバーフローによって送液する手法を採用することが好ましい。
沈殿槽３は方形状の水槽であるので、沈降を助長するすり鉢状の傾斜底は形成されていない。
【００４９】
本実施の形態においては、沈殿槽３の側壁２０２から所定間隔の位置に、側壁２０２と平行に垂れ幕シート３０２を吊り下げることが好ましい。垂れ幕シート３０２の下部と沈殿槽３の底部３００との間に、反応槽２から導入された反応液を通過させる間隙３０４を設けることが好ましい。
【００５０】
垂れ幕シート３０２を設けると、沈降を助長するすり鉢状の傾斜底は形成されていない沈殿槽であっても、反応槽２から送られる反応液のフロックが沈殿槽３から流出することを防止できる。
垂れ幕シート３０２としては、前述の合成樹脂製複合シート５と同じシートを用いることも好ましい。
【００５１】
沈殿槽３で、重力沈降式により、フロック化した濁質分や放射性物質が沈殿分離し、沈殿槽３の上澄水は、オーバーフローによって、処理水槽４に送られる。
上澄水がオーバーフローによって処理水槽４に入る部位に、以下に説明するフィルタ部を設けることが好ましい。
【００５２】
図１に示すように、沈殿槽の側壁３０１の上面を上澄水がオーバーフローして処理水槽４に入る部位に、仕切シート４０２を設ける。仕切シート４０２としては、前述の合成樹脂製複合シート５と同じシートを用いることができる。
【００５３】
本発明において、沈殿槽３の側壁３０１の上部から、仕切シート４０２に向かって、下向きに１５°〜５５°傾斜する案内板４０３を設けることが好ましい。
また沈殿槽３の側壁３０１と、仕切シート４０２との間の下部に、フィルタ４０４を設けることが好ましい。
【００５４】
仕切シート４０２の下方に、フィルタ４０４を介して処理水を処理水槽４に送るための水平方向に延びるメッシュ部４０５を形成することが好ましい。メッシュ部４０５は仕切シート４０２に列状の複数細孔を設けることによって構成できる。
【００５５】
本態様において、案内板４０３を設ける意義は、もし設けなかった場合には、オーバーフローした処理水が、処理水槽４側の側壁３０１に沿って下方に落下してしまい、フィルタ４０４を介在せずに、処理水槽４に流れてしまう（ショートパス）ことがあることが実験で確認されたので、オーバーフローした処理水をフィルタ４０４の中心付近に確実に落としてショートパスを防止するためである。
【００５６】
フィルタ４０４としては、ろ過機能を有する不織布シートなどを用いることができる。
【００５７】
処理水槽４には処理水ポンプ４０６が設けられ、汲みあげて再利用可能になっている。
【００５８】
本実施形態において、反応槽２、沈殿槽３、及び処理水槽４は、合成樹脂製複合シート５により、一体化されて形成されていることが好ましい。これにより、複合シート５を、折りたたむことで、搬送が容易になる。
【００５９】
また、更に、上述した区画シート２０６、垂れ幕シート３０２、メッシュ部４０５を有する仕切りシート４０２、及び案内板４０３も溶着により合成樹脂製複合シート５により形成されていることが好ましい。これにより、折りたたむことにより、搬送が容易になると共に、枠体への固定を容易にすることができる。固定手段としては、例えば、枠体と同一の素材を用いたパッカーを使用することができる。パッカーを使用する際には、予め複合シート５に、上部枠体にパッカーで固定できるように、延出された（図示せず）枠体との固定部を設けることが好ましい。これにより、運転準備を更に容易にすることができる。
【００６０】
更に、反応槽２と沈殿槽３とを仕切る仕切り壁２０１の高さは、沈殿槽３と処理水槽４とを仕切る仕切り壁の高さより高く設置されていることが好ましい。これによりオーバーフローによる送液を容易にすることができる。
【００６１】
汚泥脱水槽７は、図５、図６に示すように、沈殿槽３の上部に載置される方形状の槽である。方形状の槽を形成するには、方形状の枠体７０を組み立てて、合成樹脂製複合シート７１を枠体７０の内部に被覆する。合成樹脂製複合シート７１は前述の合成樹脂製複合シート５と同一のシートを用いることができる。
【００６２】
本実施形態では、合成樹脂製複合シート７１の上面に、汚泥脱水可能な脱水シート７２（例えば織布又は不織布など）を敷設する。脱水シート７２は、汚泥を供給した時に、自重でろ過可能なものが好ましい。
脱水シート７２と合成樹脂製複合シート７１は図示のように、間隙を介して設置されることが好ましい。
【００６３】
図５に示す汚泥ポンプ７３を用い、ホース７４を介して、脱水シート７２に汚泥を供給する。
【００６４】
脱水シート７２は、汚泥とろ液を固液分離する。固液分離されたろ液は、合成樹脂製複合シート７１の上に落され、合成樹脂製複合シート７１の孔から沈殿槽３に落される。合成樹脂製複合シート７１の孔径は、３０〜８０ｍｍが好ましく、孔の数は１〜２個でよい。また、合成樹脂製複合シート７１の孔には、図示しない排水ホースを設けて、沈殿槽３に落とされてるようにしてもよい。これにより、孔から固液分離されたろ水を確実に沈殿槽３に落とすことができる。
【００６５】
この脱水は常時行う必要はないので、脱水を行うときに、汚泥ポンプ７３とホース７４を設置すればよい。
【００６６】
以上のように、汚泥脱水槽７では、重力式脱水により脱水し、汚泥を減量・減容化することができる。
本発明者の実験によると、１ｍ３の排水を処理する際に排出された汚泥量は、３０〜５０Ｌであった。
【００６７】
本発明の各槽２，３，４は、地面に敷設されるシート６の上面に載置されていることが好ましい。シート６の四方端部は、一定程度の高さを保持するように折り曲げられていることが好ましい。汚水が各槽の外に漏れても貯留できるからである。
【００６８】
上記のフレキシブル排水処理装置の組立前の部品や機器などはすべてカゴ車に収納しておくことが好ましい。カゴ車は、観音扉タイプで収納部が多段（例えば二段）に形成されることが好ましい。搬送を容易にするためである。
汚染水の発生個所に、カゴ車に乗せた本発明に係るフレキシブル排水処理装置の組立前の部品や機器などを、シート６上に配置し、組立を行った。
組立に要した時間は、３人で２０分であった。極めて短時間に組み立てることができることがわかった。
【００６９】
図６には、短時間で組み立てられたフレキシブル排水処理装置の一例が示されている。
【００７０】
本実施形態におけるフレキシブル排水処理装置は、例えば、反応槽２の容積を約０．３ｍ３、沈殿槽３の容積を約１ｍ３とし、２ｍ３／ｈの浄化処理による処理水を再生利用可能となる。上述のような容積のフレキシブルな合成樹脂製複合シートで形成されているため、コンパクトでカゴ車に収納可能となり、短時間で組立が可能となる。また、約１０ｍ３／ｈの処理水を再生利用可能にすることもできる。この場合、所定の滞留時間を確保しつつ、各槽の容積を増やすことが好ましい。処理能力を増やしても、フレキシブルな合成樹脂製複合シートで形成されているため、カゴ車に収納可能なサイズにできる。この結果、短時間での組立が可能となる。
【００７１】
本発明は、組み立て安さを実現したフレキシブル排水処理装置であり、震災時の汚染車両の除染に適用ができる。また、建設現場での濁水処理や重金属処理にも適用できる。
【符号の説明】
【００７２】
１  洗車エリア
１０１  排水タンク
１０２  ポンプ
１０３  排水流入管
Ｃ  汚染乗用車
２  反応槽
２００  反応槽の底部
２０１  反応槽の手前側の立壁
２０２  反応槽と沈殿槽の仕切り壁（沈殿槽の手前側の壁である立壁、沈殿槽の側壁）
２０３  薬剤タンク
２０４  薬剤ポンプ
２０５  撹拌機
３  沈殿槽
３００  沈殿槽の底部
３０１  沈殿槽と処理水槽の間の仕切り壁（沈殿槽の奥側の壁である立壁、沈殿槽の側壁）
３０２  垂れ幕シート
３０４  間隙
４  処理水槽
４００  処理水槽の底部
４０１  処理水槽の奥側の壁である立壁
４０２  仕切シート
４０３  案内板
４０４  フィルタ
４０５  メッシュ部
４０６  処理水ポンプ
５  合成樹脂製複合シート
６  下引きシート
７  汚泥脱水槽
７０  方形状の枠体
７１  合成樹脂製複合シート
７２  脱水シート
７３  汚泥ポンプ
７４  ホース
１０  奥側の上部外枠
１１  手前側の上部外枠
１２  奥側の下部外枠
１３  手前側の下部外枠
１４  上部外枠
１５  下部外枠
１６  上部外枠
１７  下部外枠
１８  上部枠体
１９  下部枠体
２０  上部枠体
２１  下部枠体
２３  切欠き部
【要約】
【課題】組み立て安さを実現したフレキシブル排水処理装置を提供すること。
【解決手段】本発明のフレキシブル排水処理装置は、濁質分を含む排水を導入し、薬剤を添加して凝集反応を起こさせ、濁質分を含む凝集物のフロックを形成する反応槽２と、反応槽２で形成されたフロックを含む反応液を導入して、重力沈降式により、汚泥と上澄水に固液分離する沈殿槽３と、沈殿槽３で得られた上澄水を処理水として貯留する処理水槽４とを有し、予め同一幅の方形状の反応槽２と沈殿槽３と処理水槽４を形成可能な合成樹脂製複合シート５を用意し、複合シート５を組み立て枠体に装着して反応槽２と沈殿槽３と処理水槽４を形成してなることを特徴とする。
【選択図】図６【図１】
0006829452.tif 000002
【図２】
0006829452.tif 000003
【図３】
0006829452.tif 000004
【図４】
0006829452.tif 000005
【図５】
0006829452.tif 000006
【図６】
0006829452.tif 000007